(57)【要約】      （修正有）【課題】構造が簡単であり、導電物が挿入されると回路が遮断され、又、水蒸気等を排出して、感電を防ぐ、安全コンセントを提供する。【解決手段】挿入孔１１ａを有する本体１０、本体１０に取り付けられる導電座２０、３０及び電源端子４０、５０からなる。各導電座２０、３０には、一対の挟みアーム２１ａ、２１ｂ、３１ａ、３１ｂと、スプリングアーム２２、３２とが設けられる。各電源端子４０、５０は、電源コードに接続し、接続アームが設けられ、別々にスプリングアーム２２、３２側に置かれ、互いに接触しないままで電気遮断状体を保つ。【選択図】図２
0003169398.tif 000002
【実用新案登録請求の範囲】
【請求項１】
安全コンセントには挿入孔つけの本体、第１の導電座、第２の導電座、第１の電源端子と第２の電源端子が含まれており、第１、２の導電座は本体に取り付けられて、本体の挿入孔に投影し、特徴は第１、２の導電座に一対の挟みアームが設けられて、この挟みアームはスプリングで差し込んでいる挿入片の両側に挟まれ、第１、第２の導電座に、スプリングアームが設けられて、差し込んでいる挿入片により外し、第１の電源端子と第２の電源端子は本体に据え付けられ、そして電源コードと繋がり、第１、２の電源端子に接続アームが設けられ、別々に第１、第２の導電座のスプリングアーム側に置かれ、お互いに接触しないままで、電気遮断状態を保ち、プラグを挿し込む時、第１の導電座のスプリングアームを第１電源端子の接続アームに、第２の導電座のスプリングアームを第２の接続アームに繋がせる安全コンセント。
【請求項２】
請求項１に記載の安全コンセントであって、第１、２の電源端子にあり、電源端子には枠部、２つの電源コードの間の挟みアームがあり、枠部の両端の方向に２つの接続アームが開設され、電源コードの挟みアームは枠部両側に位置付けられ、枠部と導電性で接続し、各電源コードの挟みアームは別々傾いて斜めアームを開設していて、本体の２つの導線の穴と対応し、スプリングクリップの差し込んでいる電源コードを並列接続の導線とし、そして、１つの歯止め部分が枠部の中段に置かれて、電線の間の挟みアームの傾いた部分の外側を超え、この歯止め部分と本体の穴と対応していることを特徴とする安全コンセント。
【考案の詳細な説明】
【技術分野】
【０００１】
本考案のコンセント技術は、コンセントの各挿入孔が回路遮断している状態のコンセントに係る。
【背景技術】
【０００２】
通常のコンセントは、電源コードが直接にコンセントの両極の導電座に接続し、そして、相対的に差し込んでいる挿入片と繋がっている。挿入孔は常に開く状態なので、幼児は導電物を差し込んだら感電事故を起こすおそれがある。このような想定外の事故を防ぐために、安全コンセントが必要となる。しかし現在市場で入手可能な安全コンセントの構造は複雑で、モジュールの数目は大きく、製造コストは高く、故障率が高くなる。
【考案の概要】
【課題を解決するための手段】
【０００３】
本考案は既存技術の欠点の克服を目指し、相対的に低コストかつ構造が簡単で、安全性能が高い安全コンセントを提供しようとする。
【０００４】
本考案の対応する技術方案は：
安全コンセントには挿入孔を持っている本体、第１の導電座、第２の導電座、第１の電源端子と第２の電源端子が含まれている。第１、２の導電座はこの本体に取り付けられて、投影は本体の挿入孔と対応している。第１、第２の導電座には一対の挟みアームが設けられて、この挟みアームのスプリングクリップで差し込んでいる挿入片の両側に置かれている。第１、２の導電座に、スプリングアームが開設され、挿入片により外へ外す。第１、２の電源端子は本体に取り付けられ、電源コードとつながっている。第１、２の電源端子に接続アームが設けられ、それぞれに第１、第２の導電座のスプリングアーム側に伸ばし、接触していないままで、電気遮断の状態を保つ。
プラグを挿入する時、第１の導電座のスプリングアームを第１の電源端子の接続アームに、第２の導電座のスプリングアームを第２の電源端子の接続アームに繋がせる。
上述の第１、２の電源端子は枠部、両電源の挟みアームを含める。枠部では両端の方向へ接続アームが２つ持っている。２つの電源の挟みアームはこの枠部の両側にあり、導電性で枠部と接続している。電源コードの挟みアームは別々傾いて伸ばしている部分があり、本体の導線の穴と対応している。スプリングクリップの差し込んでいる電源コードを並列接続の導線とする。歯止め部分が枠部の中段に置かれていて、電源コードの挟みアームの傾いたアームの外側を超え、歯止め部分と本体の挿入孔と対応している。
【０００５】
本考案の優れた功績は、構造が簡単で、製造プロセスの簡単化とコストの低減が可能であることである。そして安全性が高く、幼児は導電物を安全コンセントの穴に挿入しても、回路が遮断状態になり、想定外の感電を防ぐ。安全コンセントの中の水と水蒸気などを排出し、感電事故を避ける。
【図面の簡単な説明】
【０００６】
【図１】本考案の改良された実施例１の立体図。
【図２】本考案の改良された実施例１の分解図。
【図３】本考案の改良された実施例１の第１電源端子と第２の電源端子の立体図。
【図４】本考案の改良された実施例１の第１、２の電源端子のもう１つの視角立体図。
【図５】本考案の改良された実施例１の下の本体の取付図。
【図６】本考案の改良された実施例２の立体図。
【考案を実施するための形態】
【０００７】
下では付図を参考にして本考案について詳しく説明する。
図１−６の示しているように、本考案で開示している安全コンセント１００は挿入孔付けの本体１０、第１の導電座２０、第２の導電座３０、第１の電源端子４０と第２の電源端子５０を含める。第１、２の導電座２０、３０は本体１０に取り付けられていて、その挿入孔に投影している。第１の導電座２０は本体１０の挿入孔１１ａの下側に取り付けられる。第１の導電座２０には一対の挟みアーム２１ａ、２２ｂが開設されていて、スプリングクリップの差し込んでいる挿入片の両側に置かれている。そして、第１の導電座２０にはスプリングアーム２２が設けられ、差し込んでいる挿入片によりそとへ外す。第２の導電座３０は本体１０の穴１１ｂの下側に取り付けられ、そして差し込んでいる挿入片の両側には一対の挟みアーム３１ａ、３１ｂが設けられている。上には、スプリングアーム３２が開設されていて、差し込んでいる挿入片によりそとへ外す。
【０００８】
図２−５の示しているように、第１の電源端子４０は、１つの電源の第１極の電源コードと接続している。この第１の電源４０には接続アーム４１１が設けられていて、導電座２０のスプリングアーム２２側に伸ばしてくる。そして、お互いに接触していないままで、回路遮断状態になる。
【０００９】
図２−５の示しているように、第１の電源端子４０には、枠部４１がある。両端の方向へ２つの接続アーム４１１が伸ばしている。２つの電源コードの挟みアーム４２がこの枠部４１の両側に置かれていて、導電性で枠部と接続している。電源コードの挟みアーム４２はそれぞれ傾いて斜めのアーム４２１を伸ばして、本体１０の導電コードの穴と対応している。スプリングクリップの差し込んでいる第１の電源コードを並列接続の導線とする。
また、１つの歯止め部分４３がこの枠部４１の中段に設けられていて、電源コードの間の挟みアーム４２の斜めアームの外側を超えている。この歯止め部分はひとつの穴と対応し、あるツールは穿孔する時、歯止め４３を押しのけて、電源コード４２の斜めアーム４２１を同時にのけて、挿入する第１極の電源コードと並列接続する導線を歯止める。
【００１０】
図２−５の通り、第２の電源端子５０は、枠部５１を含める。この枠部５１は両端の方向へ２つの接続段を伸ばす。２つの挟みアーム５２が別々に５１の両側に置かれていて、枠部５１と導電性で繋がっている。挟みアーム５２は分別に傾いて斜めアーム５２１を伸ばし、本体１０の他の２つの導線挿入孔１２と対応している。そして、スプリングクリップの差し込んでいる第１の電源コードを並列接続の導線とする。ひとつの歯止め部分５３がこの枠部５１の中段に置かれていて、２つの電源コードの間の挟みアーム５２の斜めアーム５２１の外側を越えている。そしてこの歯止め５３と本体１０の他の穴１４と対応させ、ツールが挿入すると、この歯止め５３が押しのけられ、２つの電源コードの挟みアーム５２の斜めアーム５２１も押しのけられて、挿入する第２極電源コードと並列導線を歯止める。
【００１１】
図１のように、本考案の開示している安全コンセント１００には、本体１０に取り付けられている他の接地端子６０を含める。そして、この接地端子６０は接地挿入孔１５と対応し、接地導線と接続している。本体の１０には排水口が設けられ、１０の内部とつながり、安全コンセント１００の水と水蒸気を排出し、漏電を避ける。
【００１２】
図６は本考案の新型の改良された実施例で、２つの違うコンセントに用いる。内部図は図４と一致している。
【００１３】
本考案の安全コンセント１００は使用していない時では、各挿入孔１１ａ、１１ｂの第１、２の導電座２０、３０に投影する。電源と接続している第１、第２の電源端子の４０、５０と同じように、回路遮断状態になる。確実にプラグをコンセント１０の挿入孔１１ａ、１１ｂに挿し込むと、第１、第２の導電座２０、３０のスプリングアーム２２、３２も応じて回されて、第１、第２の電源端子４０、５０に接続されるようになる。第１、第２の電源端子４０、５０と対応している導電座２０、３０が閉じていても、挿入している電気製品に電気を提供できる。だが、幼児は導電物をコンセント１００の挿入孔１１ａと１１ｂに挿入しても、第１、第２の導電座２０、３０のスプリングアーム２２、３２だけが応じて回され、それぞれの対応している第１、第２の電源端子４０、５０に接続させる。第１の導電座３０と対応の第２の電源端子５０、第１の導電座２０と対応している第１の電源端子４０では接続させない。だから、回路は遮断状態なので、感電が避けられ、電気が安全に使用できる。
【００１４】
つまり、本考案新型の構造は非常に簡単で、製造プロセスの過程の簡単化とコストの低減も可能である。安全性も高いし、使用者は導電物を挿入孔に差し込む時、回路を遮断状態にさせ、想定外の感電を防ぐ。コンセントの中の水と水蒸気などが自動的に排出されて、想定外の漏電が避けられる。
【図１】
0003169398.tif 000003
【図２】
0003169398.tif 000004
【図３】
0003169398.tif 000005
【図４】
0003169398.tif 000006
【図５】
0003169398.tif 000007
【図６】
0003169398.tif 000008